(57)【特許請求の範囲】
【請求項１】
床パネルに固定された根太の端を梁上に載せ、前記梁に根太を固定する床パネル固定方法において、支持レール部材はその両サイドに根太長手方向の案内係止部を有し、固定具は前記支持レール部材の前記案内係止部に係止される係止部及び前記案内係止部の案内方向に対して直交する方向に形成されたねじ穴を有しており、
前記根太の端部近傍に予め固定されている前記支持レール部材に前記固定具を係止させ、前記固定具のねじ穴にボルトを通し、このボルトを回すことによる前進力を前記梁に作用させ前記根太を前記梁側に引き寄せて圧接固定させることを特徴とする床パネル固定方法。
【請求項２】
請求項１に記載の床パネル固定方法において、前記固定具は弾性を有することを特徴とする床パネル固定方法。
【請求項３】
請求項１に記載の床パネル固定方法において、前記ボルトと前記梁部材との間に弾性材を介在させることを特徴とする床パネル固定方法。
【請求項４】
床パネルに固定された根太の端を梁上に載せ、前記梁に根太を固定する床パネル固定方法において、支持レール部材はその両サイドに根太長手方向の案内係止部を有し、固定具は前記支持レール部材の前記案内係止部に係止される係止部及び縮装状態の弾性部材を有しており、
前記根太の端部近傍に予め固定されている前記支持レール部材に前記固定具を係止させ、この固定具と前記梁との間に位置する前記弾性部材の縮装状態を解除して伸長させ、その押圧力を前記梁に作用させ前記根太を前記梁側に引き寄せて圧接固定させることを特徴とする床パネル固定方法。
【請求項５】
請求項１乃至請求項４のいずれかに記載の床パネル固定方法において、工場にて床パネルの根太に支持レール部材を予め装着しておき、この支持レール部材の装着状態で床パネルが現場に搬送されることを特徴とする床パネル固定方法。
【請求項６】
根太が固定された床パネルにおいて、支持レール部材が前記根太の端部側の下面に固定され、前記支持レール部材の両サイドには根太長手方向に固定具を案内する案内係止部が形成されており、前記案内係止部は前記支持レール部材自体の屈曲形成による断面凹形状部又は前記支持レール部材のサイド壁と前記根太の側面とにより形成される断面凹形状部を有することを特徴とする床パネル。
【請求項７】
請求項６に記載の床パネルにおいて、支持レール部材は根太の側面に対面する立ち上げ部を有し、この立ち上げ部に挿通させた止め具にて支持レール部材が根太に固定されていることを特徴とする床パネル。
【請求項８】
請求項６又は請求項７に記載の床パネルにおいて、支持レール部材には下面に出っ張る突出片が形成されていることを特徴とする床パネル。
【請求項９】
請求項６乃至請求項８のいずれかに記載の床パネルの支持レール部材に装着される固定具であって、側面視で段状を成し、梁に対面しない上段部側には前記支持レール部材の案内係止部に係止される係止部を有し、梁に対面することになる下段部側には前記案内係止部の案内方向に対して直交する方向にねじ穴が形成されていることを特徴とする固定具。
【請求項１０】
請求項９に記載の固定具において、弾性材にて形成されたことを特徴とする固定具。
【請求項１１】
請求項６乃至請求項８のいずれかに記載の床パネルの支持レール部材に装着される固定具であって、側面視で段状を成し、梁に対面しない上段部側には前記支持レール部材の案内係止部に係止される係止部を有し、梁に対面することになる下段部側には縮装状態の弾性機構が設けられ、前記弾性機構の縮装状態を解除することで前記案内係止部の案内方向に対して直交する方向に押圧力が生じるように構成されていることを特徴とする固定具。
【発明の詳細な説明】
【０００１】
【産業上の利用分野】
この発明は、梁上に床パネルを固定する床パネル固定方法及び床パネル及び固定具に関する。
【０００２】
【従来の技術】
図７乃至図９は従来の床パネル固定方法を示した斜視図である。床パネル５１の下面には根太５１ａが固定されている。この根太５１ａの端はＨ型鋼から成る梁５２の上面に載せられている。床パネル５１が梁５２上に単に載せられている状態において、図７に示すごとく、固定金具５３を根太５１ａの下側から嵌め込む。この状態で固定金具５３の一対の側片部５３ａは根太５１ａの側面に対面することになる。このとき、前記側片部５３ａに形成されている仮止め片５３ｂを根太５１ａに打ち込むことで、固定金具５３が仮止めされる。その後、図８に示すように、側片部５３ａに形成されている挿通穴５３ｃに釘５４を打ち込み、固定金具５３を本止めする。
【０００３】
固定金具５３の下片部５３ｄ上には、ばね機構５３ｅが設けられている。このばね機構５３ｅはコイルばねを縮装仮固定して成るものである。この仮固定はピン５３ｆによって行なわれている。ピン５３ｆの先端側（上端側）には前記コイルばねを受け止める座部が固定されている。また、ピン５３ｆは所定位置に凸部を有し、この凸部が図示しない長穴の短径側に位置することで、係止状態が保たれており、図９に示すように、ピン５３ｂを９０°回転させると、前記凸部が長穴の長径側に位置して係止状態が解除され、コイルばねは自由になって伸長しようとし、下片部５３ｄと梁５２の下面との間で押圧力を発生し、根太５１ａを梁５２に引き寄せ、床パネル５１を梁５２に固定する。
【０００４】
【発明が解決しようとする課題】
上記従来の床パネル固定方法では、固定金具５３を根太５１ａに本固定すために、釘５４を水平方向に打ち込む作業が必要になる。釘５４を水平方向に打ち込むことにおいて、金づちを振る空間が十分に存在すれば特に問題はないが、根太５１ａの配置間隔が狭い場合（補強タイプの床パネル）や、水平ブレースの固定端（角部）の近傍箇所では、このような釘打ち作業は行い難い。
【０００５】
この発明は、上記の事情に鑑み、作業の簡単化が図れる床パネル固定方法及び床パネル及び固定具を提供することを目的とする。
【０００６】
【課題を解決するための手段】
この発明の床パネル固定方法は、上記の課題を解決するために、床パネルに固定された根太の端を梁上に載せ、前記梁に根太を固定する床パネル固定方法において、前記根太の端部近傍に支持レール部材を固定し、この支持レール部材に固定具を係止させ、この固定具に設けた螺子穴にボルトを通し、このボルトを回すことによる前進力を前記梁に作用させ前記根太を前記梁側に引き寄せて圧接固定させることを特徴とする。
【０００７】
上記構成であれば、固定具は支持レール部材にて係止されるので、固定具自体を釘で根太に固定する必要はなく、根太の配置間隔が狭い場合や、水平ブレースの固定端（角部）の近傍箇所でも容易に固定具を装着できる。そして、この装着の後、前記ボルトを回すことで、床パネルを梁部材に固定することができる。
【０００８】
前記固定具は弾性を有するのがよい。また、前記ボルトと前記梁部材との間に弾性材を介在させるようにしてもよい。これら構成であれば、根太に径年変化で痩せが生じても、根太と梁との間での隙間発生を防止し、がたつきを抑制することができる。
【０００９】
また、この発明の床パネル固定方法は、床パネルに固定された根太の端を梁上に載せ、前記梁に根太を固定する床パネル固定方法において、前記根太の端部近傍に支持レール部材を固定し、この支持レール部材に固定具を係止させ、この固定具と前記梁との間に位置させた弾性部材の縮装状態を解除して伸長させ、その押圧力を前記梁に作用させ前記根太を前記梁側に引き寄せて圧接固定させることを特徴とする。かかる構成は、ボルトを用いずに、従来項で示したばね機構等を用いる構成となる。
【００１０】
これらの方法において、工場にて床パネルの根太に支持レール部材を予め装着しておき、この支持レール部材の装着状態で床パネルが現場に搬送されることとするのがよい。
【００１１】
また、この発明の床パネルは、根太が固定された床パネルにおいて、支持レール部材が前記根太の下面に固定され、前記支持レール部材の両サイドには根太長手方向の案内係止部が形成されていることを特徴とする。
【００１２】
前記支持レール部材は根太の側面に対面する立ち上げ部を有し、この立ち上げ部に挿通させた止め具にて支持レール部材が根太に固定されているのがよい。支持レール部材を根太の下面側からビス等で止める場合に比べ、根太の径年変化による痩せの影響を抑え易くなる。
【００１３】
前記支持レール部材には下面に出っ張る突出片が形成されているのがよい。ここで、床パネルを梁上に仮置きした状態では床パネルが簡単に移動してしまって不都合を生じるおそれがあるが、前記突出片が存在することで、床パネルの移動規制が行なえることになる。
【００１４】
また、この発明の固定具は、前述した床パネルの支持レール部材に装着される固定具であって、側面視で段状を成し、上段部側には前記支持レール部材の案内係止部に係止される係止部を有し、下段部側には前記案内係止部の案内方向に対して直交する方向にねじ穴が形成されていることを特徴とする。かかる固定具は弾性材にて形成されていてもよい。
【００１５】
また、この発明の固定具は、前述した床パネルの支持レール部材に装着される固定具であって、側面視で段状を成し、上段部側には前記支持レール部材の案内係止部に係止される係止部を有し、下段部側には縮装状態の弾性機構が設けられ、前記弾性機構の縮装状態を解除することで前記案内係止部の案内方向に対して直交する方向に押圧力が生じるように構成されていることを特徴とする。
【００１６】
【発明の実施の形態】
以下、この発明の実施形態の床パネル固定方法及び床パネル及び固定金具を図１乃至図６に基づいて説明する。
【００１７】
図１はこの実施形態の床パネル固定方法により構成された床パネル固定構造を示した側面図であり、図２は図１のＡ−Ａ断面図である。また、図３は支持レール部材４を示した図であり、図４は固定金具６の斜視図である。
【００１８】
床パネル１の下面には根太１ａが固定されている。この根太１ａの端はＨ型鋼から成る梁２の上面に載せられる。この実施形態では梁２と根太１ａとの間に厚さ２ｍｍのフェルト３を介在させている。根太１ａの端部近傍（梁２に干渉しない箇所）の下面側には支持レール部材４がビス５…によって固定されている。ビス５は支持レール部材４の下面側から挿通されて根太１ａに螺着されている。
【００１９】
支持レール部材４は、根太１ａの幅よりも広幅に形成されており、その両サイド張り出し部分は上方向に折り曲げられ、根太長手方向に沿う案内係止部４ａを成している。また、図３（ａ）（ｂ）にも示すように、支持レール部材４の中程にはその一部が剪断されて下方に屈曲されており、この屈曲による片が係止片４ｂを成す。
【００２０】
固定金具６は支持レール部材４の端から装着でき、前記案内係止部４ａに案内させて梁２の近傍にスライドさせることができる。固定金具６は、図４にも示すように、断面略円弧形状のばね鋼にて形成されており、側面視で段状を成す。上段部（大円弧部）の上端部は内側に折り曲げられ、前記案内係止部４ａに係合する係止部６ａを成している。下段部（小円弧部）は、梁２の下方に位置する部分である。この下段部（小円弧部）には前記案内係止部４ａの案内方向に対して直交する方向にねじ穴６ｂが形成されており、このねじ穴６ｂに蝶ねじ（ボルト）６ｃが螺合される。
【００２１】
支持レール部材４は、工場において予め床パネル１の根太１ａに装着されており、床パネル１は前記支持レール部材４の装着状態で現場に搬送される。搬送者は床パネル１を梁２上に単に置いて去ることになり、その後に施工業者によって床パネル１の固定作業が行なわれる。ここで、床パネル１を梁２上に仮置きした状態では床パネル１が簡単に移動してしまって不都合を生じるおそれがあるが、支持レール部材４に突出片４ｂが存在することで、床パネル１の移動規制が行なえることになる。
【００２２】
施工業者は仮置きされている床パネル１の支持レール部材４の端から固定金具６を嵌め込み、この固定金具６を案内係止部４ａに案内させて梁２の近傍に位置させる。そして、蝶ねじ６ｃを回す。この簡単な作業により、根太１ａは固定金具６の本体及び蝶ねじ６ｃの作用によって梁２側に引き寄せられ、この部分での床パネル固定が完了することになる。
【００２３】
このように、現場においては床パネル固定のためのビス打ちは全く必要ないことになる。従って、根太の配置間隔が狭い場合や、水平ブレースの固定端（角部）の近傍箇所でも難なく固定作業が行なえることになる。また、たとえ現場にて支持レール部材４を装着することとしても、ビス５は下側から打ち込むため、水平方向の打ち込みに比べて空間が広く確保され、装着は容易に行なえる。また、固定金具６はばね鋼から成るので、根太１ａに径年変化で痩せが生じても、根太１ａと梁２との間での隙間発生を防止し、がたつきを抑制することができる。
【００２４】
上記例では、固定金具６をばね鋼にて形成することとしたが、これに代えて、固定金具６を通常鋼にて形成し、蝶ねじ６の進行によって弾性材が梁２側に押さえ付けられるようにしてもよく（例えばねじ先端と梁２との間に皿ばねを介在させておく）、これによっても根太１ａと梁２との間での隙間発生を防止し、がたつきを抑制することができる。また、蝶ねじ６に代えて通常のボルトを用いることも可能である。
【００２５】
また、支持レール部材４として、図５に示す支持レール部材４１或いは図６に示す支持レール部材４２を用いることとしてもよいものである。これら支持レール部材４１，４２は、両サイド部の折り曲げ加工において、立ち上げ部４１ａ，４２ａを形成したものであり、この立ち上げ部４１ａ，４２ａにビス５挿通用の穴を形成している。従って、水平装着されるビスにて支持レール部材４１，４２は根太１ａに固定される構造となる。この構造の場合、根太１ａの痩せによる梁２との隙間発生方向と直交する方向にビスが存在することとなり、根太１ａの痩せによる影響が軽減される。
【００２６】
また、以上の例では、床パネル固定に蝶ねじ（ボルト）６ｃを用いることとしたが、従来項で示したばね機構５３ｅ（図７等参照）を用いることとしてもよい。すなわち、支持レール部材４，４１，４２に案内支持される形状の固定金具（ばね鋼である必要はない）において梁２の下方に位置する部分を平坦化した形状とし、この平坦部上にばね機構５３ｅを設ける構造となる。このような構造であれば、床パネル１の支持レール部材４の端から上記ばね機構タイプの固定金具を装着し、この固定金具を案内係止部４ａに案内させて梁２の近傍に位置させ、ピン５３ｂを回転させるだけで床パネル固定が行なえる。すなわち、スライドとピン回しといった極めて簡単で短時間の作業により、この部分での床パネル固定が瞬時的に完了することになる。
【００２７】
なお、上記ばね機構タイプは、ばねが強すぎたりした場合にばね機構が斜めになって見栄えが悪くなる場合があるが、ボルト締めのタイプではこのような不具合は生じ難い。また、固定金具は支持レール部材の端から挿入するタイプに限らず、固定金具を支持レール部材の下方から押圧して装着するタイプとすることもできる。
【００２８】
【発明の効果】
以上説明したように、この発明によれば、床パネルの固定が簡単迅速に行なえることになり、また、根太の痩せにも対応できるという効果を奏する。
【図面の簡単な説明】
【図１】この発明の実施形態の床パネル固定方法による床パネル固定構造を示した側面図である。
【図２】図１のＡ−Ａ矢視断面図である。
【図３】同図（ａ）は支持レール部材の底面図であり、同図（ｂ）はＢ−Ｂ断面図である。
【図４】固定金具の斜視図である。
【図５】支持レール部材の他の例を示した斜視図である。
【図６】支持レール部材の他の例を示した斜視図である。
【図７】従来の床パネル固定方法による床パネル固定構造を示した側面図である。
【図８】従来の床パネル固定方法による床パネル固定構造を示した側面図である。
【図９】従来の床パネル固定方法による床パネル固定構造を示した側面図である。
【符号の説明】
１    床パネル
１ａ  根太
２    梁
４    支持レール部材
５    ビス
６    固定金具
４１  支持レール部材
４２  支持レール部材
【図１】
0003934963.tif 000002
【図２】
0003934963.tif 000003
【図３】
0003934963.tif 000004
【図４】
0003934963.tif 000005
【図５】
0003934963.tif 000006
【図６】
0003934963.tif 000007
【図７】
0003934963.tif 000008
【図８】
0003934963.tif 000009
【図９】
0003934963.tif 000010